(57)【要約】【課題】画像形成制御部と不揮発性メモリーとの信頼性の高い通信を実現するとともに、コンパクトな画像形成装置を供給すること。【解決手段】画像制御部と、不揮発性記録手段と、１つ或は複数の高圧接点手段と、画像形成部と不揮発性記録手段と、転写手段と、定着手段と、給紙手段と、回転動力生成手段と、回転動力伝達手段と、画像形成部は画像形成装置からの着脱が可能であり装着時、画像形成部の不揮発性記録手段との接続を行う記録接点手段と、一連の画像形成から記録材への画像定着を制御する画像形成制御部とを有する画像形成装置において、前記記録接点手段と前記不揮発性記録手段は、画像形成装置の前面から見た時の中心位置から回転動力伝達手段側で且つ高圧接点手段の反対側に、画像制御部は画像形成装置の前面から見た時の中心位置から回転動力伝達手段とは反対側に配置することを特徴とする。【選択図】図１
2005338392.tif 000002
【特許請求の範囲】
【請求項１】
ホストコンピュータからの画像情報を処理する画像制御部と、不揮発性記録手段と、像担持体に高圧電圧を供給する１つ或は複数の高圧接点手段と、像担持体を接地する接点を持ち、露光手段からの画像情報に応じた光を像担持体に露光させて潜像を形成し、潜像を現像手段により現像して像担持体にトナー像を形成する画像形成部と画像形成部に配置した不揮発性記録手段と、像担持体のトナー像を記録材に転写する転写手段と、未定着トナー像を担持した記録材を加熱加圧により定着する定着手段と、記録材を前記転写手段に向けて給紙する給紙手段と、各種手段の回転動力を生成する回転動力生成手段と、回転動力生成手段からの動力を各手段に伝達する回転動力伝達手段と、画像形成部は画像形成装置からの着脱が可能であり装着時、画像形成部の不揮発性記録手段との接続を行う記録接点手段と、一連の画像形成から記録材への画像定着を制御する画像形成制御部とを有する画像形成装置において、
前記記録接点手段と前記不揮発性記録手段は、画像形成装置の前面から見た時の中心位置から回転動力伝達手段側で且つ高圧接点手段の反対側に、画像制御部は画像形成装置の前面から見た時の中心位置から回転動力伝達手段とは反対側に配置することを特徴とする画像形成装置。
【請求項２】
対向配置した導電性の２枚の側板とその間に導電性の上板を配置したことを特徴とする請求項１記載の画像形成装置。
【請求項３】
回転動力伝達手段を側板の側面に配置したことを特徴とする請求項２記載の画像形成装置。
【請求項４】
記録接点手段を上板に配置したことを特徴とする請求項２記載の画像形成装置。
【請求項５】
画像制御部を回転動力伝達手段を配置していない側板の側面に配置したことを特徴とする請求項２記載の画像形成装置。
【請求項６】
対向配置した導電性の２枚の側板をコの字に成形したことを特徴とする請求項１〜５の何れかに記載の画像形成装置。
【発明の詳細な説明】
【技術分野】
【０００１】
本発明は、記録媒体に画像を形成する画像形成装置に関する。ここで画像形成装としては、例えば電子写真複写機、プリンタ、ワードプロセッサ及びファクシミリ装置等が含まれる。
【背景技術】
【０００２】
本発明は、電子写真方式やその他の記録方式を採用するレーザプリンタ、複写機等の画像形成装置に関するものであるが、以下に画像形成装置の一例としてレーザビームプリンタを例に挙げて説明する。
【０００３】
図５は従来の画像形成装置の概略構成図である。
【０００４】
図５において、１０４は有機感光体やアモルファスシリコン感光体でできた感光ドラムであり、時計方向に所定の周速度（プロセススピード）をもって回転駆動される。この回転感光体ドラム１０４は、帯電ローラ１０５によりその周面が所定の極性、電位に一様に帯電される。そして、その帯電面に、レーザ光学箱１０８から出力され、画像読取装置やコンピュータ等の画像信号発生装置（図示せず）から入力された目的の画像情報の時系列電気デジタル画素信号に対応して変調（オン／オフ変換）されたレーザ光が、レーザ光反射ミラー１０９によって変更されて照射されることにより走査露光が行われ、画像情報に対応した静電潜像が形成される。
【０００５】
このように目的の画像に対応して形成された静電潜像は、現像器１０６により現像される。
【０００６】
これら一連の電子写真制御は画像形成制御部１３０で行われる。又、トナーカートリッジ１２１に内蔵している不揮発性メモリー１２０の値に応じて、画像形成制御部１３０は各種制御を行う。
【０００７】
次に、この感光ドラム１０４に対して、給紙カセット１０３から被記録材が給紙ローラ１０２により１枚給紙されることにより、前記被記録材に対して感光ドラム１０４側の鏡像トナー像が形成される。この転写ローラ１０７は、被記録材の背面からトナーと逆極性の電荷を供給することで、感光ドラム１０４から被記録材にトナー像を転写するものである。このようにトナー像の転写を受けた被記録材は、感光ドラム１０４から分離されて熱定着装置１１０へ送り込まれ、ヒータ１１１によってトナー像の熱定着を受ける。
【０００８】
熱定着を受けた被記録材は、ＤＣブラシレスモータ１３２により駆動されるＦＤローラ１１３により搬送され、排紙トレイ１１４に排出される。
【０００９】
図６及び図７は画像形成装置の前方から見た断面図である。
【００１０】
図６に示すプリンタにあっては、両側を支える板金１４０，１４１の上下を支える１４３の板金と１３０の画像形成制御部で骨組みを形成している。
【００１１】
各搬送ローラ、感光ドラム１０４にＤＣブラシレスモータ１３２からの駆動力を伝達する複数のギアから構成する駆動伝達部１４２は、画像制御部１３１と反対側に配置し、不揮発性メモリー１２０と不揮発性メモリー１２０に接続する接続部１２２は画像制御部１３１と同じ側に配置する。
【００１２】
１２４は感光ドラム１０４をグランドに接続するグランド接点、１２３はトナーカートリッジ１２１に画像形成制御部１３０からの高圧電圧を接続する高圧接点である。
【００１３】
グランド接点１２４、高圧接点１２３は駆動伝達部１４２とは反対側で画像制御部１３１側に配置する。
【００１４】
図７に示すプリンタにおいては各搬送ローラ、感光ドラム１０４にＤＣブラシレスモータ１３２からの駆動力を伝達する複数のギアから構成する駆動伝達部１４２は、画像制御部１３１側に配置し、不揮発性メモリー１２０と不揮発性メモリー１２０に接続する接続部１２２は画像制御部１３１と同じ側に配置する。
【００１５】
１２４は感光ドラム１０４をグランドに接続するグランド接点、１２３はトナーカートリッジ１２１に画像形成制御部１３０からの高圧電圧を接続する高圧接点である。
【００１６】
グランド接点１２４と高圧接点１２３は、駆動伝達部１４２とは反対側で画像制御部１３１側に配置する。
【００１７】
又、特許文献１には、図６に示すように、メモリタグ６０が、駆動伝達部である円筒部１４ａ側に設けられている構成が記載されている。
【００１８】
【特許文献１】特開２００４−０４８５７号公報
【発明の開示】
【発明が解決しようとする課題】
【００１９】
しかしながら、上記の従来例の図６ではトナーカートリッジ１２１と駆動伝達部１４２とは互いのギア同士が噛み合い、トナーカートリッジ１２１の駆動伝達部側しっかりと保持される。
【００２０】
しかし、トナーカートリッジ１２１の反駆動伝達部側はギアが無い。このため、印字動作開始して感光ドラム１０４が回転すると、ギアが無く、保持していないトナーカートリッジ１２１の反駆動伝達部側は回転による振動で上下に振れ易い。この上下の振れによりトナーカートリッジ１２１上の不揮発性メモリー１２０と接続部１２２との接続が不安定になり、画像形成制御部１３０と不揮発性メモリー１２０との通信不良が発生する可能性がある。
【００２１】
又、高圧接点１２３での接触も感光ドラム１０４の回転による振動で不安定になり、ここから発生した電気ノイズの影響を近くに配置した不揮発性メモリー１２０が受ける可能性がある。
【００２２】
次に、従来例の図７では駆動伝達部１４２と同じ側に画像制御部１３１を配置しているので、画像形成装置の横幅が広くなる。
【００２３】
本発明は上記のような問題点に着目してなされたもので、画像形成制御部と不揮発性メモリーとの信頼性の高い通信を実現するとともに、コンパクトな画像形成装置を供給することを目的としている
【課題を解決するための手段】
【００２４】
上記目的を達成するため、本発明は、ホストコンピュータからの画像情報を処理する画像制御部と、不揮発性記録手段と、像担持体に高圧電圧を供給する１つ或は複数の高圧接点手段と、像担持体を接地する接点を持ち、露光手段からの画像情報に応じた光を像担持体に露光させて潜像を形成し、潜像を現像手段により現像して像担持体にトナー像を形成する画像形成部と画像形成部に配置した不揮発性記録手段と、像担持体のトナー像を記録材に転写する転写手段と、未定着トナー像を担持した記録材を加熱加圧により定着する定着手段と、記録材を前記転写手段に向けて給紙する給紙手段と、各種手段の回転動力を生成する回転動力生成手段と、回転動力生成手段からの動力を各手段に伝達する回転動力伝達手段と、画像形成部は画像形成装置からの着脱が可能であり装着時、画像形成部の不揮発性記録手段との接続を行う記録接点手段と、一連の画像形成から記録材への画像定着を制御する画像形成制御部とを有する画像形成装置において、
前記記録接点手段と前記不揮発性記録手段は、画像形成装置の前面から見た時の中心位置から回転動力伝達手段側で且つ高圧接点手段の反対側に、画像制御部は画像形成装置の前面から見た時の中心位置から回転動力伝達手段とは反対側に配置することを特徴とする。
【発明の効果】
【００２５】
本発明によれば、トナーカートリッジ上の不揮発性メモリーと接続部をトナーカートリッジの中心より駆動伝達部側で且つ高圧接点とは反対側に配置することで、不揮発性メモリーと接続部の安定した接続を保つことができるとともに、高圧接点から発生する電気ノイズの影響を受けにくくなる。従って、画像形成制御部と不揮発性メモリーとの信頼性の高い通信を実現できる。
【００２６】
又、駆動伝達部と反対側に画像制御部を配置する。そして、画像制御部はコの字の形をした板金の曲げ部よりはみ出ないように配置することで、小型でコンパクトな画像形成装置を提供することができる。
【発明を実施するための最良の形態】
【００２７】
以下に本発明の実施の形態を電子写真方式を採用した画像形成装置であるレーザビームプリンタを例に説明する。
【００２８】
図１は本実施の形態に係る画像形成装置の概略構成図である。
【００２９】
図１において、１０４は有機感光体やアモルファスシリコン感光体でできた感光ドラムであり、時計方向に所定の周速度（プロセススピード）をもって回転駆動される。この回転感光体ドラム１０４は、帯電ローラ１０５によりその周面が所定の極性、電位に一様に帯電される。そして、その帯電面に、レーザ光学箱１０８から画像読取装置やコンピュータ等の画像信号発生装置（図示せず）から入力された目的の画像情報の時系列電気デジタル画素信号に対応して変調（オン／オフ変換）されたレーザ光が、レーザ光反射ミラー１０９によって変更されて照射されることにより走査露光が行われ、画像情報に対応した静電潜像が形成される。
【００３０】
このように目的の画像に対応して形成された静電潜像は、現像器１０６により現像される。
【００３１】
これら一連の電子写真制御は画像形成制御部１３０で行われる。又、トナーカートリッジ１２１に内蔵している不揮発性メモリー１２０の値に応じて、画像形成制御部１３０は各種制御を行う。
【００３２】
次に、この感光ドラム１０４に対して、給紙カセット１０３から被記録材が給紙ローラ１０２により１枚給紙されることにより、前記被記録材に対して感光ドラム１０４側の鏡像トナー像が形成される。この転写ローラ１０７は、被記録材の背面からトナーと逆極性の電荷を供給することで、感光ドラム１０４から被記録材にトナー像を転写するものである。このようにトナー像の転写を受けた被記録材は、感光ドラム１０４から分離されて熱定着装置１１０へ送り込まれ、ヒータ１１１によってトナー像の熱定着を受ける。
【００３３】
熱定着を受けた被記録材は、ＤＣブラシレスモータ１３２により駆動されるＦＤローラ１１３により搬送され排紙トレイ１１４に排出される。
【００３４】
画像データは、画像信号発生装置（図示せず）から画像制御部１３１に送られ、画像制御部１３１で画像処理をした信号に変換され、レーザ光学箱１０８に送られる。レーザ光学箱１０８は、この信号に応じて変調したレーザ光を感光ドラムに照射することで画像に対応した静電潜像を生成する。
【００３５】
トナーカートリッジ１２１は、画像形成装置からの脱着が可能であり、画像形成装置に挿入時は接続部１２２と不揮発性メモリー１２０が接続され、画像形成制御部１３０と不揮発性メモリー１２０間で通信を行う。
【００３６】
図４は本発明の制御構成を示すブロック図である。
【００３７】
トナーカートリッジ１２１上の不揮発性メモリー１２０は、接続部１２２を通して画像形成制御部１３０と通信を行っている。トナーカートリッジ１２１は、高圧接点１２３を通して画像形成制御部１３０から高圧電圧を供給されている。モータ１３２は、画像形成制御部１３０から信号で回転駆動され、駆動伝達部１４２を通して定着１１０、感光ドラム１０４、各種記録材搬送用のローラに駆動力を供給している。
【００３８】
図２は本実施の形態の画像形成装置の斜視図である。
【００３９】
両側にコの字の形をした板金１４０，１４１を配置し、この両板金１４０，１４１を画像形成制御部１３０とスキャナー板金１４３で橋渡しをする。両側の板金をコの字の形にすることで板金の強度を増している。スキャナー板金１４３上にはレーザ光学台１０８とトナーカートリッジ１２１上の不揮発性メモリー１２０との接続部１２２を配置する。板金１４０には画像制御部１３１を配置し、板金１４１にはブラシレスモータとＤＣブラシレスモータ１３２からの駆動力を伝達する複数のギアから構成する駆動伝達部１４２を配置する。
【００４０】
ここでは、ＤＣブラシレスモータ１３２で説明するがモータの種類は問わない。例えば、ステッピングモータであっても良い。
【００４１】
図３は本実施の形態に係る画像形成装置の正面から見た断面図である。
【００４２】
トナーカートリッジ１２１と駆動伝達部１４２とは互いのギア同士を噛み合うことで、駆動伝達部１４２からの駆動をトナーカートリッジ１２１に伝達して感光ドラム１０４を回転する。
【００４３】
トナーカートリッジ１２１の駆動伝達部側は、互いのギア同士が噛み合うことでトナーカートリッジ１２１をしっかり保持する。このため、印字動作時に感光ドラム１０４が回転してもトナーカートリッジ１２１の駆動伝達部側は感光ドラム１０４の回転による振動で上下に振れることはない。
【００４４】
不揮発性メモリー１２０と接続部１２２をトナーカートリッジ１２１の中心より駆動伝達部側に配置することで印字動作時に感光ドラム１０４が回転しても不揮発性メモリー１２０と接続部１２２は振動しない。
【００４５】
このため、不揮発性メモリー１２０と接続部１２２は安定した接続を保つことができる。
【００４６】
印字動作開始して感光ドラム１０４が回転すると、ギアが無く、保持していないトナーカートリッジ１２１の反駆動伝達部側は回転による振動で上下に振れ易い。
【００４７】
この上下の振れにより、高圧接点１２３での接触も不安定になり、ここから電気ノイズが発生する可能性がある。
【００４８】
本発明では不揮発性メモリー１２０と接続部１２２を高圧接点部１２３を高圧接点部１２３とは反対側に配置したので高圧接点１２３で発生するノイズの影響を受けにくい。
【００４９】
以上のことから、画像形成制御部１３０と不揮発性メモリー１２０で信頼性の高い通信ができる。
【００５０】
更に、画像制御部１３１は、駆動伝達部１４２と反対側の板金１４０に配置する。そして、画像制御部１３１は、コの字の形をした板金の曲げ部より（図のＡ部）はみ出ないように配置する。これにより、画像形成装置の横幅を小さくすることができる。
【図面の簡単な説明】
【００５１】
【図１】本発明の実施例の構成を示す側面からの断面図である。
【図２】本発明の実施例の構成を示す斜視図である。
【図３】本発明の実施例の構成を示す正面からの断面図である。
【図４】本発明の実施例の制御構成を示すブロック図である。
【図５】従来例の構成を示す側面からの断面図である。
【図６】従来例の構成を示す正面からの断面図である。
【図７】従来例の構成を示す正面からの断面図である。
【符号の説明】
【００５２】
１０２  給紙ローラ
１０４  感光ドラム
１０５  帯電ローラ
１０６  現像器
１０７  転写ローラ
１０８  レーザ光学箱
１０９  レーザ光反射ミラー
１１０  熱定着器
１１１  ヒータ
１１３    ＦＤローラ
１２０  不揮発性メモリー
１２１  トナーカートリッジ
１２２  接続部
１２３  高圧接点部
１２４  トナーカートリッジグランド
１３０  画像形成制御部
１３１  画像制御部
１３２  モータ
１４０  コの字の形をした板金
１４１  コの字の形をした板金
１４２  駆動伝達部
１４３  スキャナー板金
【図１】
2005338392.tif 000003
【図２】
2005338392.tif 000004
【図３】
2005338392.tif 000005
【図４】
2005338392.tif 000006
【図５】
2005338392.tif 000007
【図６】
2005338392.tif 000008
【図７】
2005338392.tif 000009